(57)【要約】      （修正有）【課題】ストレーナと、弁本体を支持する弁座と、押さえ部が形成された弁箱の相互の位置決めを正確に行うことができるフート弁を提供する。【解決手段】吸込口を有する板状の弁座２０と、弁座２０の上部に回動軸２３を介して設けられ、吸込口を開閉する弁体３０と、弁座２０の上側を覆うと共に内周面に弁体３０に対向配置される押さえ部４１が形成された弁箱４０と、弁座２０の上側を覆う弁箱４０と、弁座２０の下側に設けられ、弁座２０の外周縁に沿って形成された環状の外周部５１と、弁座２０から下方に離間し、吸込口に対向して設けられた支持部５２と、外周部５１と支持部５２との間に設けられ、径方向に延びる複数のリブ部６０とを有するストレーナとを具備し、弁座２０とストレーナとは一体に形成されている。【選択図】図１
2015222101.tif 000002
【特許請求の範囲】
【請求項１】
吸込口を有する板状の弁座と、
この弁座の上部に回動軸を介して設けられ、前記吸込口を開閉する弁体と、
前記弁座の上側を覆うと共に内周面に前記弁体に対向配置される押さえ部が形成された弁箱と、
前記弁座の下側に設けられ、前記弁座の外周縁に沿って形成された環状の外周部と、前記弁座から下方に離間し、前記吸込口に対向して設けられた支持部と、前記外周部と前記支持部との間に設けられ、径方向に延びる複数のリブ部とを有するストレーナとを具備し、
前記弁座と前記ストレーナとは一体に形成されていることを特徴とするフート弁。
【請求項２】
前記支持部は、径方向に延びる切欠部が形成されていることを特徴とする請求項１に記載のフート弁。
【請求項３】
基端側が前記ストレーナの外周部側に上下方向に揺動自在に設けられ、先端側が前記ストレーナから外部に突出して形成されたレバー本体、及び、このレバー本体の中間部において前記弁体に対向配置され、前記先端側が上方に揺動した場合に前記弁体に当接して前記弁座との間に隙間を形成し、前記先端側が下方に揺動した場合に前記弁体から離間する当接部を有するレバーをさらに備えていることを特徴とする請求項１に記載のフート弁。
【発明の詳細な説明】
【技術分野】
【０００１】
本発明は、ポンプ停止時に該ポンプの吸込側に圧送流体を溜めておくのに用いられるフート弁に関する。
【背景技術】
【０００２】
ポンプで受水槽等から水（圧送流体）を汲み上げる給水装置では、陸上に設置されたポンプの吸込部から延びて受水槽内の水中に没するように配管された吸込配管を通して水を圧送することが行われている（例えば、特許文献１参照。）。
【０００３】
こうした吸込配管の端部の多くには、ポンプ運転時、エアーロック（長時間、空気の吸引が続くことによる）が発生するのを回避するために、フート弁を取り付けることが行われている。
【０００４】
こうしたフート弁には、弁本体の下部に異物除去用のリブ部を有するストレーナが周方向に沿って等間隔に設けられている。このストレーナに弁本体を開閉するためのレバー部材が設けられており、ポンプから水を抜いてメンテナンスを行う場合には、レバー部材で弁本体を強制的に開くことが可能である。また、レバー部材による強制的な開動作が終わっても弁体が開いた状態のままとなるのを防ぐために、弁本体を覆う弁箱には、弁本体に当接する押さえ部が形成されている。
【先行技術文献】
【特許文献】
【０００５】
【特許文献１】特開平１１−１６６６４４号公報
【発明の概要】
【発明が解決しようとする課題】
【０００６】
このようなフート弁では、次のような問題があった。すなわち、ストレーナと、弁本体を支持する弁座と、押さえ部が形成された弁箱とを止め付けて、フート弁を組み立てる際、正確な位置で締め付けないと、レバー部材と弁本体と押さえ部との位置関係が設計通りに構成されず、弁本体の開動作ができなかったり、不十分となり、メンテナンスが行えないことがある。このため、弁座とストレーナの位置を正確に合わせるためのマーカ（突起部等）を設ける必要があった。
【０００７】
また、弁座とストレーナとの合わせ面から水漏れが生じるとポンプ性能が低下することから、合わせ面の加工を高精度に行う必要があった。
【０００８】
また、レバー部材はストレーナの外径より長い部品であり、弁本体を開くための当接部が設けられていることから、弁座とストレーナとを取り付ける前にレバー部材をストレーナ内に挿入することが一般的であった。ストレーナの隙間からレバー部材を挿入する場合は、ストレーナの全高が大きくなるという問題があった。
【０００９】
そこで本発明は、ストレーナと、弁本体を支持する弁座と、押さえ部が形成された弁箱の相互の位置決めを正確に行うことができるフート弁を提供することを目的としている。
【課題を解決するための手段】
【００１０】
前記課題を解決し目的を達成するために、本発明のフート弁は次のように構成されている。
【００１１】
吸込口を有する板状の弁座と、この弁座の上部に回動軸を介して設けられ、前記吸込口を開閉する弁体と、前記弁座の上側を覆うと共に内周面に前記弁体に対向配置される押さえ部が形成された弁箱と、前記弁座の下側に設けられ、前記弁座の外周縁に沿って形成された環状の外周部と、前記弁座から下方に離間し、前記吸込口に対向して設けられた支持部と、前記外周部と前記支持部との間に設けられ、径方向に延びる複数のリブ部とを有するストレーナとを具備し、前記弁座と前記ストレーナとは一体に形成されていることを特徴とする。
【発明の効果】
【００１２】
本発明によれば、ストレーナと、弁本体を支持する弁座と、押さえ部が形成された弁箱の相互の位置決めを正確に行うことが可能となる。
【図面の簡単な説明】
【００１３】
【図１】本発明の一実施の形態に係るフート弁を示す一部切欠して示す側面図。
【図２】同フート弁の要部を拡大して示す断面図。
【図３】同フート弁を構成するストレーナの要部をポンプ側から見た平面図。
【発明を実施するための形態】
【００１４】
図１は本発明の一実施の形態に係るフート弁１０を示す一部切欠して示す側面図、図２はフート弁１０の要部を拡大して示す断面図、図３はフート弁１０を構成するストレーナ５０の要部をポンプ側から見た平面図である。
【００１５】
フート弁１０は、吸込口２２を有する弁座２０と、この弁座２０の上部に回動軸２３を介して設けられ、吸込口２２を開閉する円板状の弁体３０と、弁座２０の上側に設けられ、弁体３０の可動範囲を覆う弁箱４０と、弁座２０の下側に設けられたストレーナ５０と、ストレーナ５０に取り付けられ、弁体３０を開閉するレバー部７０を備えている。また、弁座２０とストレーナ５０とは一体化されている。この場合の一体化は、ボルト、ネジ、接着剤等で組み立てられることで一体になっているのではなく、射出成形等により一体成形されているという意味である。
【００１６】
弁座２０は、板状の弁座本体２１と、この弁座本体２１の略中央に設けられた吸込口２２と、弁体３０を揺動自在に支持する回動軸２３とを備えている。なお、回動軸２３は後述する第２リブ６２側に設けられている。
【００１７】
弁体３０は、ポンプ停止時は自重及び水の重量によって吸込口２２を閉じており、ポンプ稼働時はポンプの負圧により開いた状態となる。また、メンテナンス時は図示しないワイヤ等で外部から引き上げられる。
【００１８】
弁箱４０は、ポンプの吸込配管に接続されており、その内周面に押さえ部４１が突出形成されている。押さえ部４１は弁体３０が開いた際に対向する位置に設けられ、弁体３０の開く角度を規制している。
【００１９】
ストレーナ５０は、弁座本体２１の外周縁に沿って形成された環状の外周部５１と、弁座本体２１から下方に離間し、吸込口２２に対向して設けられた支持部５２と、外周部５１と支持部５２との間に設けられ、径方向に延びる複数のリブ部６０とを備えている。
【００２０】
レバー部７０は、基端側がストレーナ５０の外周部５１側に上下方向に揺動自在に設けられ、先端側がストレーナ５０から外部に突出して形成されたレバー本体７１、及び、このレバー本体７１の中間部において弁体３０に対向配置され、先端側が上方に揺動した場合に弁体３０に当接して弁座２０との間に隙間を形成し、先端側が下方に揺動した場合に弁体３０から離間する当接部７２を有している。
【００２１】
なお、レバー本体７１の揺動中心軸７３は、第１リブ６１が並設された２箇所のうち、一方側の外周部５１に取り付けられている。他方側の第１リブ６１同士の間には、上述した支持部５２に設けられた切欠部５３が設けられている。切欠部５３は径方向に設けられ、支持部５２の外周側から中心近傍まで形成されている。
【００２２】
このように構成されたフート弁１０は、次のようにして組み立てられる。すなわち、ストレーナ５０の切欠部５３側からレバー本体７１を挿入し、揺動中心軸７３を外周部５１に取り付ける。次に、弁座２０に弁箱４０を取り付けて、ボルト締めする。
【００２３】
なお、ストレーナ５０と弁座２０とは一体形成されているため、相対的な位置決めは不要であり、また、弁座２０と弁箱４０の相対的な位置は、ボルト孔で高精度に決められる。したがって、ストレーナ５０、弁体３０、押さえ部４１の相対的な位置は、高精度に決まる。
【００２４】
また、レバー本体７１のようにストレーナ５０の外径より長い部品であって、当接部７２が設けられている場合であっても、支持部５２の切欠部５３を通してレバー本体７１をストレーナ５０内に挿入することができるため、ストレーナ５０と弁座２０とが一体であってもよい。
【００２５】
このように構成されたフート弁１０では、次のように動作する。すなわち、ポンプ運転時は、ストレーナ５０からポンプへ吸い込まれる水流で、弁体３０が持ち上げられて吸込孔２２を開放させる。またポンプの運転が停止すると、吸込孔２２を通じて戻るポンプ内部の水で、弁体３０が閉側に移動して吸込孔２２を閉じる。これにより、ポンプ停止時にポンプの吸込側に水を溜めて、次回のポンプの運転時、即時、吸込側の水が吸引されるようにしてある。
【００２６】
なお、ポンプ内の水を排出する場合には、レバー本体７１の先端側をチェーン等で上方へ揺動させることで、当接部７２が弁体３０の下面に当接し、弁体３０が弁座２０から離間する。また、弁体３０が開くと、押さえ部４１に当接するため、一定の角度以上は開かず、レバー本体７１による開動作が終わると、自然に閉じて吸込口２２を閉塞する。
【００２７】
本実施の形態に係るフート弁１０によれば、弁座２０とストレーナ５０とを一体形成しているため、弁座２０とストレーナ５０との合わせ面から水漏れが生じることはなく、ポンプ性能の低下を防止できる。
【００２８】
また、ストレーナ５０と、弁体３０を支持する弁座２０と、押さえ部４１が形成された弁箱４０の相互の位置決めを正確に行うことができ、弁体３０の開動作を確実に行うことができる。
【００２９】
なお、レバー部材７１のように長い部品であっても、弁座２０側を開くことなく、支持部５２の切欠部５３を利用して、ストレーナ５０の内部に挿入することができる。このため、レバー部材７１を挿入するためだけにストレーナ５０の全高を大きくする必要が無く、フート弁１０の小型化を図ることができる。
【００３０】
なお、本発明は前記実施の形態に限定されるものではない。この他、本発明の要旨を逸脱しない範囲で種々変形実施可能であるのは勿論である。
【符号の説明】
【００３１】
１０…フート弁、２０…弁座、３０…弁体、４０…弁箱、４１…押さえ部、５０…ストレーナ、５２…支持部、５３…切欠部、６０…リブ部、６１…第１リブ、６２…第２リブ、７０…レバー部、７１…レバー本体、７２…当接部。
【図１】
2015222101.tif 000003
【図２】
2015222101.tif 000004
【図３】
2015222101.tif 000005